(57)【要約】【課題】携帯端末が作業機側から簡単にデータを取得することができるようにする。【解決手段】作業機の通信処理システムは、作業機に設けられた通信装置と通信装置に接続可能な携帯端末とを備えた作業機の通信システムであって、通信装置がアプリケーション識別子をＢＬＥ（Bluetooth（登録商標）Low Energy）に準拠するビーコンで携帯端末に送信し、携帯端末はアプリケーション識別子に対応するアプリケーションを起動し、通信装置は、携帯端末との接続後に携帯端末のアプリケーションに対応する作業機に関するデータを携帯端末に送信する。【選択図】図４
2019114858.tif 000002
【特許請求の範囲】
【請求項１】
作業機に設けられ且つ、携帯端末と接続可能な作業機の通信装置であって、
アプリケーション識別子をＢＬＥ（Bluetooth（登録商標）Low Energy）に準拠するビーコンで前記携帯端末に送信し、且つ、前記携帯端末がアプリケーション識別子に対応するアプリケーションを起動後にアプリケーションに対応する前記作業機に関するデータを前記携帯端末に送信する第１通信部を備えている作業機の通信装置。
【請求項２】
前記第１通信部が、前記ビーコンを前記携帯端末に送信後且つ前記作業機に関するデータを前記携帯端末に送信する前に、前記携帯端末とのペアリング処理を行う第１処理部を備えている請求項１に記載の作業機の通信装置。
【請求項３】
前記第１通信部は、前記ペアリング処理における認証成立後に、前記作業機に関するデータを前記携帯端末に送信する請求項２に記載の作業機の通信装置。
【請求項４】
作業機に設けられた通信装置と接続可能な携帯端末であって、
前記通信装置から送信されたビーコンであって、アプリケーション識別子をＢＬＥ（Bluetooth（登録商標）Low Energy）に準拠するビーコンで受信する第１受信部と、
前記受信部がアプリケーション識別子を受信後に、前記アプリケーション識別に対応するアプリケーションを起動する起動部と、
前記通信装置から送信された前記作業機に関するデータであって、前記アプリケーションに対応する前記データを受信する第２受信部と、
を備えている携帯端末。
【請求項５】
前記第１受信部が前記ビーコンを受信後且つ前記第２受信部が前記作業機に関するデータを受信前に、前記通信装置とのペアリング処理を行う第２処理部を有している請求項４に記載の携帯端末。
【請求項６】
前記第２処理部は、前記ペアリング処理として前記アプリケーションの起動後に前記通信装置に接続要求を行う請求項５に記載の携帯端末。
【請求項７】
前記第２処理部は、前記通信装置からの前記ペアリング処理における要求に応じて認証情報を入力する入力画面を表示する請求項６に記載の携帯端末。
【請求項８】
前記作業機に関するデータをアプリケーションが受け付けて記憶する記憶部を有している請求項４〜７のいずれかに記載の携帯端末。
【請求項９】
作業機に設けられた通信装置と前記通信装置に接続可能な携帯端末とを備えた作業機の通信システムであって、
前記通信装置がアプリケーション識別子をＢＬＥ（Bluetooth（登録商標）Low Energy）に準拠するビーコンで前記携帯端末に送信し、
前記携帯端末は前記アプリケーション識別子に対応するアプリケーションを起動し、
前記通信装置は、前記携帯端末との接続後に前記携帯端末のアプリケーションに対応する前記作業機に関するデータを前記携帯端末に送信する作業機の通信システム。
【請求項１０】
前記アプリケーション識別子は、ＵＵＩＤ（Universally Unique Identifier）である請求項８に記載の作業機の通信システム。
【請求項１１】
前記ビーコンを前記携帯端末に送信後且つ前記作業機に関するデータを前記携帯端末に送信する前に、前記通信装置と前記携帯端末とのペアリング処理を行う請求項９又は１０に記載の作業機の通信システム。
【請求項１２】
前記携帯端末は、前記ペアリング処理として前記アプリケーションの起動後に前記通信装置に接続要求を行い、前記ペアリング処理として前記通信装置は前記携帯端末に対して、前記認証情報を要求する請求項１１に記載の作業機の通信システム。
【請求項１３】
前記携帯端末は、前記通信装置からの認証情報の要求に応じて認証情報を入力する入力画面を表示する請求項１２に記載の作業機の通信システム。
【請求項１４】
前記通信装置は、前記認証情報の認証成立後に前記作業機に関するデータを前記携帯端末に送信する請求項１３に記載の作業機の通信システム。
【請求項１５】
前記通信装置は、前記携帯端末との接続後、前記携帯端末からの前記データの要求の受信を経ずに、前記作業機に関するデータを前記携帯端末に送信する請求項９〜１４のいずれかに記載の作業機の通信システム。
【請求項１６】
前記携帯端末は、前記作業機に関するデータをアプリケーションが受け付けて記憶する記憶部を有している請求項９〜１４のいずれかに記載の作業機の通信システム。
【請求項１７】
作業機に設けられた通信装置と前記通信装置に接続可能な携帯端末との接続を行う作業機の通信処理方法であって、
前記通信装置がアプリケーション識別子をＢＬＥ（Bluetooth（登録商標）Low Energy）に準拠するビーコンで前記携帯端末に送信するステップと、
前記携帯端末は前記アプリケーション識別子に対応するアプリケーションを起動するステップと、
前記通信装置は、前記携帯端末との接続後に前記携帯端末のアプリケーションに対応する前記作業機に関するデータを前記携帯端末に送信するステップと、
を備えている作業機の通信処理方法。
【請求項１８】
前記アプリケーション識別子は、ＵＵＩＤ（Universally Unique Identifier）である請求項１７に記載の作業機の通信処理方法。
【請求項１９】
前記ビーコンを前記携帯端末に送信後且つ前記作業機に関するデータを前記携帯端末に送信する前に、前記通信装置と前記携帯端末とのペアリング処理を行う請求項１７又は１８のいずれかに記載の作業機の通信処理方法。
【発明の詳細な説明】
【技術分野】
【０００１】
本発明は、作業機の通信装置、携帯端末、作業機の通信システム及び作業機の通信処理方法に関する。
【背景技術】
【０００２】
従来、車両と携帯端末との間で通信を行う技術として特許文献１が知られている。特許文献１では、車両コンピュータ側からアプリケーションを識別するアプリケーション識別子を携帯端末に送信し、アプリケーション識別子を受信した携帯端末はアプリケーション識別子に対応するアプリケーションを決定した後に、アプリケーションを起動したあと、携帯端末側から車両コンピュータに対してアプリケーションに関係するデータを送信している。
【先行技術文献】
【特許文献】
【０００３】
【特許文献１】米国特許第９３６３３１８号公報
【発明の概要】
【発明が解決しようとする課題】
【０００４】
特許文献１では、車両コンピュータがアプリケーション識別子を携帯端末に送信することにより、当該携帯端末側でアプリケーションを起動することができるものの、携帯端末が車両コンピュータ側からデータを取得することができないのが実情である。特に、作業機においては、携帯端末が作業機側からのデータを必要なときに取得することが必要であるが、特許文献１のシステムでは作業機のデータを携帯端末が取得することができない。
【０００５】
そこで本発明は、上記課題に鑑み、携帯端末が作業機側から簡単にデータを取得することができる作業機の通信装置、携帯端末、作業機の通信システム及び作業機の通信処理方法を提供することを目的とする。
【課題を解決するための手段】
【０００６】
本発明は、上記の構成を達成するために以下の技術的手段を採用している。
作業機の通信装置は、作業機に設けられ且つ、携帯端末と接続可能な作業機の通信装置であって、アプリケーション識別子をＢＬＥ（Bluetooth（登録商標）Low Energy）に準拠するビーコンで前記携帯端末に送信し、且つ、前記携帯端末がアプリケーション識別子に対応するアプリケーションを起動後にアプリケーションに対応する前記作業機に関するデータを前記携帯端末に送信する第１通信部を備えている。
【０００７】
前記第１通信部が、前記ビーコンを前記携帯端末に送信後且つ前記作業機に関するデータを前記携帯端末に送信する前に、前記携帯端末とのペアリング処理を行う第１処理部を備えている。
前記第１通信部は、前記ペアリング処理における認証成立後に、前記作業機に関するデータを前記携帯端末に送信する。
【０００８】
携帯端末は、作業機に設けられた通信装置と接続可能な携帯端末であって、前記通信装置から送信されたビーコンであって、アプリケーション識別子をＢＬＥ（Bluetooth（登録商標）Low Energy）に準拠するビーコンで受信する第１受信部と、前記受信部がアプリケーション識別子を受信後に、前記アプリケーション識別に対応するアプリケーションを起動する起動部と、
前記通信装置から送信された前記作業機に関するデータであって、前記アプリケーションに対応する前記データを受信する第２受信部と、を備えている。
【０００９】
前記第１受信部が前記ビーコンを受信後且つ前記第２受信部が前記作業機に関するデータを受信前に、前記通信装置とのペアリング処理を行う第２処理部を有している。
前記第２処理部は、前記ペアリング処理として前記アプリケーションの起動後に前記通信装置に接続要求を行う。
前記第２処理部は、前記通信装置からの前記ペアリング処理における要求に応じて認証情報を入力する入力画面を表示する。
【００１０】
携帯端末は、前記作業機に関するデータをアプリケーションが受け付けて記憶する記憶部を有している。
作業機の通信システムは、作業機に設けられた通信装置と前記通信装置に接続可能な携帯端末とを備えた作業機の通信システムであって、前記通信装置がアプリケーション識別子をＢＬＥ（Bluetooth（登録商標）Low Energy）に準拠するビーコンで前記携帯端末に送信し、前記携帯端末は前記アプリケーション識別子に対応するアプリケーションを起動し、前記通信装置は、前記携帯端末との接続後に前記携帯端末のアプリケーションに対応する前記作業機に関するデータを前記携帯端末に送信する。
【００１１】
前記アプリケーション識別子は、ＵＵＩＤ（Universally Unique Identifier）である。
作業機の通信システムは、前記ビーコンを前記携帯端末に送信後且つ前記作業機に関するデータを前記携帯端末に送信する前に、前記通信装置と前記携帯端末とのペアリング処理を行う。
【００１２】
前記携帯端末は、前記ペアリング処理として前記アプリケーションの起動後に前記通信装置に接続要求を行い、前記ペアリング処理として前記通信装置は前記携帯端末に対して、前記認証情報を要求する。
前記携帯端末は、前記通信装置からの認証情報の要求に応じて認証情報を入力する入力画面を表示する。
【００１３】
前記通信装置は、前記認証情報の認証成立後に前記作業機に関するデータを前記携帯端末に送信する。
前記通信装置は、前記携帯端末との接続後、前記携帯端末からの前記データの要求の受信を経ずに、前記作業機に関するデータを前記携帯端末に送信する。
前記携帯端末は、前記作業機に関するデータをアプリケーションが受け付けて記憶する記憶部を有している。
【００１４】
作業機の通信処理方法は、作業機に設けられた通信装置と前記通信装置に接続可能な携帯端末との接続を行う作業機の通信処理方法であって、前記通信装置がアプリケーション識別子をＢＬＥ（Bluetooth（登録商標）Low Energy）に準拠するビーコンで前記携帯端末に送信するステップと、前記携帯端末は前記アプリケーション識別子に対応するアプリケーションを起動するステップと、前記通信装置は、前記携帯端末との接続後に前記携帯端末のアプリケーションに対応する前記作業機に関するデータを前記携帯端末に送信するステップと、を備えている。
【発明の効果】
【００１５】
本発明によれば、携帯端末が作業機側から簡単にデータを取得することができる。
【図面の簡単な説明】
【００１６】
【図１】作業機のデータ通信システムの概略図である。
【図２Ａ】アドバタイズパケットＰ１の概略図である。
【図２Ｂ】アプリケーションの一例を示す図である。
【図３】複数のアプリケーションと、アプリケーション識別子との関係を示す図である。
【図４】通信装置と携帯端末との接続の流れを示すフローチャートである。
【図５】作業機の概略側面図である。
【発明を実施するための形態】
【００１７】
以下、本発明の実施形態について、図面を適宜参照しつつ説明する。
図５は、本実施形態に係る作業機１の全体構成を示す概略側面図である。本実施形態では、作業機１として旋回作業機であるバックホーが例示されている。この実施形態では、作業機１としてバックホーを例示しているが、作業機は、トラクタ、コンバイン、田植機等の農業機械、コンパクトトラックローダ、スキッドステアローダ等であってもよい。
【００１８】
先ず、作業機１の全体構成を説明する。
図５に示すように、作業機１は、機体２と、走行装置３と、作業装置４とを備えている。機体２上にはキャビン５が搭載されている。キャビン５の室内には運転席６が設けられている。
本実施形態においては、作業機１の運転席６に着座した運転者（オペレータ）の前側（図５の矢印Ａ１方向）を前方、運転者の後側（図５の矢印Ａ２方向）を後方、運転者の左側（図５の手前側）を左方、運転者の右側（図５の奥側）を右方として説明する。
【００１９】
また、前後方向Ｋ１に直交する方向である水平方向を機体幅方向として説明する。機体２の幅方向の中央部から右部、或いは、左部へ向かう方向を機体外方として説明する。言い換えれば、機体外方とは、機体幅方向であって機体２の幅方向の中心から離れる方向のことである。機体外方とは反対の方向を、機体内方として説明する。言い換えれば、機体内方とは、機体幅方向であって機体２の幅方向の中心に近づく方向である。
【００２０】
図５に示すように、走行装置３は、左側に設けられた走行体３Ｌと、右側に設けられた走行体３Ｒとを有する。走行体３Ｌ及び走行体３Ｒは、クローラ式の走行装置である。走行装置３の前部には、ドーザ装置７が装着されている。ドーザ装置７は、ドーザシリンダを伸縮することにより昇降（ブレードを上げ下げ）させることができる。
機体２は、旋回台であって、走行装置３上に旋回ベアリング８を介して縦軸（上下の方向に延伸する軸心）回りに旋回自在に支持されている。機体２は、油圧モータ（油圧アクチュエータ）からなる旋回モータによって旋回駆動される。機体２は、縦軸回りに旋回する旋回基板９と、ウエイト１０とを有している。旋回基板９は、鋼板等から形成されており、旋回ベアリング８に連結されている。ウエイト１０は、機体２の後部に設けられている。機体２の後部には、原動機Ｅ１が搭載されている。原動機Ｅ１は、ディーゼルエンジンである。なお、原動機Ｅ１は、電動モータであってもよいし、ディーゼルエンジン及び電動モータを有するハイブリッド型であってもよい。
【００２１】
機体２は、機体幅方向の中央のやや右寄りの前部に支持ブラケット１３を有している。支持ブラケット１３には、スイングブラケット１４が、縦軸回りに揺動自在に取り付けられている。スイングブラケット１４には、作業装置４が取り付けられている。
図５に示すように、作業装置４は、ブーム１５と、アーム１６と、バケット（作業具）１７とを有している。ブーム１５の基部は、スイングブラケット１４に横軸（機体幅方向に延伸する軸心）回りに回動自在に枢着されている。これによって、ブーム１５が上下に揺動自在とされている。アーム１６は、ブーム１５の先端側に横軸回りに回動自在に枢着されている。これによって、アーム１６が前後或いは上下に揺動自在とされている。バケット１７は、アーム１６の先端側にスクイ動作及びダンプ動作可能に設けられている。作業機１は、バケット１７に代えて或いは加えて、油圧アクチュエータにより駆動可能な他の作業具（予備アタッチメント）を装着することが可能である。他の作業具（予備アタッチメント）としては、油圧ブレーカ、油圧圧砕機、アングルブルーム、アースオーガ、パレットフォーク、スイーパー、モア、スノウブロア等が例示できる。
【００２２】
スイングブラケット１４は、機体２内に備えられたスイングシリンダの伸縮によって揺動自在とされている。ブーム１５は、ブームシリンダＣ３の伸縮によって揺動自在とされている。アーム１６は、アームシリンダＣ４の伸縮によって揺動自在とされている。バケット１７は、バケットシリンダ（作業具シリンダ）Ｃ５の伸縮によってスクイ動作及びダンプ動作自在とされている。ドーザシリンダ、スイングシリンダ、ブームシリンダＣ３、アームシリンダＣ４、バケットシリンダＣ５は、油圧シリンダ（油圧アクチュエータ）によって構成されている。キャビン５内の運転席６の左側には、操縦装置１９Ｌが設けられ、運転席６の右側には、操縦装置１９Ｒが設けられている。
【００２３】
図１に示すように、作業機１は、制御装置３０を有している。制御装置３０は、作業機１に関する制御を行う装置であって、例えば、油圧制御、オートアイドル制御（ＡＩ制御）、ブーム高さ制御、アーム高さ制御、盗難防止制御などの様々な制御を行う。
制御装置３０には、各種センサが接続され、センサで検出された値（信号）が入力される。例えば、制御装置３０には、ポジションセンサ等で検出された操縦装置（操縦装置１９Ｌ、操縦装置１９Ｒ）の操作量、ガバナセンサで検出されたガバナ角度（ガバナ位置）、ポジションセンサ等で検出されたアクセルの操作量、回転センサ等で検出されたエンジン回転数、角度センサ等で検出されたアームの角度及びブームの角度が入力される。
【００２４】
制御装置３０は、油圧制御では、操縦装置１９Ｌ，１９Ｒの操作量に応じて比例電磁弁等に制御信号を出力し、比例電磁弁の開度を設定することで、比例電磁弁に接続された流量制御弁を制御する。即ち、油圧制御では、油圧アクチュエータ（スイングシリンダ、ブームシリンダＣ３、アームシリンダＣ４、バケットシリンダ）を制御する流量制御弁を制御する。
【００２５】
制御装置３０は、オートアイドル制御では、操縦装置１９Ｌ、１９Ｒが操作されているときは、アクセルの操作量に応じた制御信号をエンジンに出力することでエンジン回転数を増減し、操縦装置１９Ｌ、１９Ｒが操作されていないときは、アイドリング回転数を示す制御信号をエンジンに出力することにより、エンジン回転数をアイドリング状態に固定する。
【００２６】
制御装置３０は、ブーム高さ制御では、ブーム１５の高さが予め設定されたブームの高さの上限値になったときに操縦装置１９Ｌ、１９Ｒの操作に関わらずブーム１５の上げ動作を停止する。即ち、ブーム高さ制御では、ブーム１５を上げ動作時のブームの角度が上限値に達した際には、ブームシリンダＣ３に対応する流量制御弁を制御することでブームの上げ動作を停止させる。
【００２７】
制御装置３０は、アームの角度制御では、アームの角度が予め設定されたアームの角度（アーム角度）の上限値又は下限値となったときに操縦装置１９Ｌ、１９Ｒの操作に関わらずアーム１６の掻き込み動作を停止する。即ち、アーム角度制御では、アーム１６の掻き込み動作時のアーム角度が上限値又は下限値に達した際は、アームシリンダＣ４に対応する流量制御弁を制御することでアーム１６の掻き込み動作を停止する。
【００２８】
制御装置３０は、盗難防止制御では、携帯端末５０等の外部から送信された認証情報（第１認証情報）と、予め登録された認証情報（第２認証情報）が成立した場合に、原動機Ｅ１、エンジンの始動を許可することでエンジンを駆動する。また、制御装置３０は、盗難防止制御では、第１認証情報と第２認証情報との認証が成立しない場合、エンジンの始動を許可せず、エンジンの始動を行わない。
【００２９】
以上のように、制御装置３０によって、油圧制御、オートアイドル制御（ＡＩ制御）、ブーム高さ制御、アーム高さ制御、盗難防止制御などの様々な制御を行うことができる。なお、上述した制御は一例であって限定されず、制御装置３０は作業機１の態様に応じて必要な制御を実行する。
制御装置３０は、記憶部（記憶装置）３３と、計時部３４とを有している。計時部３４は、制御装置３０に設けられた電気・電子部品、当該制御装置３０に格納されたプログラム等から構成されている。計時部３４は、エンジン回転センサで検出されたエンジン回転数が制御装置３０に時点（駆動開始）から制御装置３０へのエンジン回転数の入力が終了する時間（駆動終了）するまでの稼働時間を演算する。言い換えれば、計時部３４は、エンジンの駆動している時間（経過時間）をタイマ等により求める。例えば、９時から１２時までの間にエンジンが連続して駆動した場合は、稼働時間（経過時間）は３時間である。計時部３４は、エンジンの駆動（エンジンの駆動開始からエンジンの駆動終了）毎に、演算した稼働時間を累積することにより、累積稼働時間（アワメータ）を求める。この実施形態では、エンジンの駆動開始から駆動終了までの稼働時間の累積値を累積稼働時間としているが、エンジン以外の駆動部品が駆動した時間を累積稼働時間（アワメータ）としてもよく、エンジンに限定されない。記憶部３３は、不揮発性のメモリ等から構成され、計時部３４が計時した累積稼働時間を記憶する。
【００３０】
図１に示すように、作業機１は、通信装置４０を有している。通信装置４０は、作業機１のデータ（情報）を当該作業機１の外部に出力したり、外部のデータを作業機１に取り込む装置である。通信装置４０は、第１通信部４１を有している。第１通信部４１は、携帯端末５０と接続可能である。第１通信部４１は、例えば、通信規格ＩＥＥＥ８０２．１５．１シリーズのＢｌｕｅｔｏｏｔｈ（登録商標）の仕様におけるＢｌｕｅｔｏｏｔｈ（登録商標）  Ｌｏｗ  Ｅｎｅｒｇｙに準拠する通信方式のビーコンを携帯端末５０に送信可能である。第１通信部４１によって送信されるビーコンは、ｉＢｅａｃｏｎ（登録商標）である。図２Ａに示すように、ｉＢｅａｃｏｎによって、アドバタイズパケットＰ１が送信される。アドバタイズパケットＰ１は、サービスＵＵＩＤ（Service Universally Unique Identifier）と、ｉＢｅａｃｏｎ特有のｉＢｅａｃｏｎＵＵＩＤとが含まれている。
【００３１】
ｉＢｅａｃｏｎＵＵＩＤには、アプリケーション識別子が設定される。アプリケーション識別子とは、複数用意されているアプリケーション（アプリケーションソフトウェア）を識別するための情報である。複数のアプリケーション毎に、アプリケーション識別子が割り当てられている。この実施形態では、例えば、図２Ｂに示すように、複数のアプリケーションとして、作業機の機械情報を収集する収集アプリケーション、作業機の駆動部の始動の可否を行う始動アプリケーションとが用意されている。
【００３２】
通信装置４０は、収集部４２と、記憶部（記憶装置）４３とを有している。収集部４２は、通信装置４０に設けられた電気・電子部品、当該通信装置４０に格納されたプログラム等から構成されている。収集部４２は、作業機に関する機械情報を収集する。具体的には、通信装置４０と、作業機１に設けられた制御装置３０、センサ等の機器は通信ラインＬ１等により接続されていて、収集部４２は、通信ラインＬ１に流れる様々な信号（データ）を機械情報として取得する。詳しくは、収集部４２は、制御装置３０によってオートアイドル制御、ブーム高さ制御、アーム高さ制御等の制御を行っている状況における各種センサからの信号、累積稼働時間等を機械情報として収集する。上述した実施形態では、制御装置３０が制御を行っている場合の信号及び累積稼働情報を機械情報としているが、収集部４２が収集する機械情報は限定されない。収集部４２は、作業機１に搭載した機器の故障、警告関する情報を機械情報として収集してもよいし、作業機１の機器の設定値等を機械情報として収集してもよく、作業機１に関する情報であれば何でもよい。
【００３３】
記憶部４３は、不揮発性のメモリ等から構成されていて、収集部４２が収集した機械情報を一時的に記憶する。記憶部４３に一時的に記憶された機械情報、即ち、収集部４２が収集した機械情報は、通信装置４０（第１通信部４１）によって携帯端末５０に送信される。
通信装置４０は、識別子設定部４５を有している。識別子設定部４５は、通信装置４０に設けられた電気・電子部品、当該通信装置４０に格納されたプログラム等から構成されている。
【００３４】
識別子設定部４５は、複数のアプリケーションに対応するアプリケーション識別子を設定する。例えば、識別子設定部４５は、記憶部４３に記憶している全ての機械情報（全機械情報）のうち、携帯端末５０へ未送信である機械情報（未送信情報）のデータ容量が所定以上であり、未送信情報の取得を携帯端末５０に要求する場合、収集アプリケーションに対応するアプリケーション識別子を設定する。また、識別子設定部４５は、原動機Ｅ１が始動していない状態において、携帯端末５０に第１認証情報の送信を要求する場合、始動アプリケーションに対応するアプリケーション識別子を設定する。以下、説明の便宜上、収集アプリケーションに対応するアプリケーション識別子のことを「収集識別子」、始動アプリケーションに対応するアプリケーション識別子のことを「始動識別子」ということがある。
【００３５】
第１通信部４１は、識別子設定部４５で設定されたアプリケーション識別子を含むビーコンを携帯端末５０に送信する。第１通信部４１は、例えば、識別子設定部４５が収集識別子を設定した場合、収集識別子を含むビーコンを送信し、識別子設定部４５が始動識別子を設定した場合、始動識別子を含むビーコンを送信する。
また、通信装置４０は、第１処理部４６を有している。第１処理部４６は、通信装置４０に電気・電子部品、当該通信装置４０に格納されたプログラム等から構成されている。第１処理部４６は、携帯端末５０と通信装置４０とのペアリング処理を行う。
【００３６】
携帯端末５０は、タブレット、スマートフォン、ＰＤＡ等であって持ち運びが可能な携帯端末である。携帯端末５０は、作業機１に設けられた通信装置４０に接続可能であって、様々なデータ（情報）を通信装置４０との間で送受信可能である。携帯端末５０は、第２通信部５１を有している。第２通信部５１は、近距離、長距離の通信を行う通信モジュール等で構成され、例えば、通信規格ＩＥＥＥ８０２．１５．１シリーズのＢｌｕｅｔｏｏｔｈ（登録商標）の仕様におけるＢｌｕｅｔｏｏｔｈ（登録商標）  Ｌｏｗ  Ｅｎｅｒｇｙ等によって通信装置４０と無線通信を行う。なお、第２通信部は、携帯電話通信網、データ通信網等によって無線通信を行うものであってもよい。
【００３７】
第２通信部５１は、第１受信部５１Ａと、第２受信部５１Ｂとを有している。第１受信部５１Ａ及び第２受信部５１Ｂは、第２通信部５１を構成する電気・電子部品、当該通信装置４０に格納されたプログラム等から構成されている。第１受信部５１Ａは、通信装置４０から送信されたアプリケーション識別子を含むビーコンを受信する。第２受信部５１Ｂは、通信装置４０から送信された作業機に関するデータを受信する。
【００３８】
携帯端末５０は、記憶部（記憶装置）５２と、表示部（表示装置）５３と、演算部（演算装置）５４とを有している。記憶部５２は、不揮発性のメモリであって、通信装置４０から受信した機械情報、様々なアプリケーションソフトウェア（アプリ）、ｉＯＳ等のオペレーションシステム（ＯＳ）等を記憶する。表示部５３は、様々な情報を表示することが可能であって、液晶パネル等から構成されている。演算部５４は、ＣＰＵ、携帯端端末５０に設けられた電気・電子部品等から構成されており、演算部５４は、携帯端末５０の様々な処理を行う。演算部５４は、第２処理部５４Ａ、起動部５４Ｂを有している。第２処理部５４Ａ及び起動部５４Ｂは、演算部５４等に格納されたプログラム等から構成されている。第２処理部５４Ａは、携帯端末５０と通信装置４０とのペアリング処理を行う。起動部５４Ｂは、アプリケーション識別子に対応するアプリケーションを起動する。
【００３９】
図４は、通信装置４０と携帯端末５０との接続のフローチャートを示している。図４を用いて通信装置４０と携帯端末５０との接続、識別子設定部４５、第１処理部４６、第２処理部５４Ａ、起動部５４Ｂについて詳しく説明する。
通信装置４０にバッテリー等からの電力が供給された状態では、当該通信装置４０のビーコンを不定期又は定期的に送信することができる。例えば、作業機１のイグニッションスイッチがＯＦＦ又はＯＮのいずれの状態でも通信装置４０には電力が供給されている。
【００４０】
まず、電源供給状態では、通信装置４０の識別子設定部４５は、必要に応じてアプリケーション識別子を設定する（Ｓ１：識別子設定処理）。識別子設定処理Ｓ１では、例えば、記憶部４３の全機械情報のうち、携帯端末５０へ未送信である未送信情報のデータ容量が所定以上である場合、アドバタイズパケットＰ１のｉＢｅａｃｏｎＵＵＩＤに、収集識別子を設定する。なお、上述した実施形態では、未送信情報のデータ容量が所定以上である場合に収集識別子を設定しているが、これに限定されず、不定期又は定期的に収集識別子を設定してもよい。
【００４１】
また、識別子設定処理Ｓ１において、エンジンの始動が行われていない状況下（エンジンの駆動が停止した状態）で、エンジンを駆動する場合、アドバタイズパケットＰ１のｉＢｅａｃｏｎＵＵＩＤに、始動識別子を設定する。
アプリケーション識別子の設定が完了すると、通信装置４０は、収集識別子を含むアドバタイズパケットＰ１を外部に送信する（Ｓ２）。アドバタイズパケットＰ１の通信領域（アドバタイズパケットＰ１の受信可能な領域）に携帯端末５０が存在する場合、第２通信部５１の第１受信部５１Ａは、アドバタイズパケットＰ１を受信する（Ｓ３）。第１受信部５１ＡによってアドバタイズパケットＰ１を受信後（Ｓ３後）、携帯端末５０の起動部５４Ｂは、アドバタイズパケットＰ１のアプリケーション識別子を参照する（Ｓ４）。起動部５４Ｂは、参照したアプリケーション識別子に対応するアプリケーションを起動する（Ｓ５）。例えば、アプリケーション識別子が収集識別子である場合、起動部５４Ｂは、収集アプリケーションを起動する。演算部５４は、アプリケーションの起動後、起動したアプリケーションに応じて処理を実行する（アプリケーション処理）。
【００４２】
次に、収集アプリケーションが起動したことを前提に、アプリケーション処理について詳しく説明する。
アプリケーション処理では、まず、ペアリング処理として、携帯端末５０の第２処理部５４Ａは接続要求を行う指令を第２通信部５１に通知し、当該第２通信部５１は通信装置４０に対して接続要求を実行する（Ｓ６）。通信装置４０の第１通信部４１が接続要求を受信すると、通信装置４０の第１処理部４６は、携帯端末５０の第２処理部５４Ａからの接続要求に応じて、ペアリング処理として、第３認証情報の要求を行う指令を通信装置４０の第１通信部４１に行い、当該第１通信部４１は携帯端末５０に第３認証情報の要求を行う（Ｓ７）。第３認証情報とは、通信装置４０と携帯端末５０とのペアリングの認証に必要な情報であって、予め定められた英数字等の文字である。
【００４３】
携帯端末５０の第２通信部５１が第３認証情報の要求を受信すると、携帯端末５０の第２処理部５４Ａは、通信装置４０の第１処理部４６による第３認証情報の要求に応じて、図３に示すように、表示部５３に第３認証情報を入力する入力画面Ｍ１を表示する（Ｓ８）。入力画面Ｍ１への第３認証情報の入力が完了すると、携帯端末５０の第２処理部５４Ａは、第１通信部４１に第３認証情報を通知し、当該第１通信部４１は、通信装置４０に第３認証情報を送信する（Ｓ１０）。
【００４４】
つまり、携帯端末５０は、ペアリング処理としてアプリケーションの起動後（Ｓ５後）、通信装置４０に接続要求を行い（Ｓ６）、ペアリング処理として通信装置４０は携帯端末５０に対して、第３認証情報を要求する（Ｓ７）。また、携帯端末５０は、通信装置４０からの第３認証情報の要求に応じて第３認証情報を入力する入力画面Ｍ１を表示する（Ｓ９）。
【００４５】
通信装置４０の第１処理部４６は、第３認証情報を受信すると、受信した第３認証情報と予め記憶部４３に記憶されている第４認証情報とが関連付けられているか否かの判断する、即ち、受信した第３認証情報の妥当性を確認する（Ｓ１０）。第１処理部４６は、第３認証情報が妥当であると判断する、即ち、第３認証情報と第４認証情報との認証が成立すると（Ｓ１０、Ｙｅｓ）、ペアリングが成立したと判断する（Ｓ１１）。なお、第４認証情報とは、認証に必要な情報であって、予め定められた英数字等の文字である。作業機１の購入時、作業機１のレンタル時等において、購入者は、第４認証情報に関連付けられた第３認証情報を作業機１の販売会社、製造会社、レンタル会社等から取得しておき、当該第３認証情報を入力画面Ｍ１に入力することによってペアリング処理を完了することができる。なお、第３認証情報の取得は一例であり、上述した実施形態に限定されない。
【００４６】
通信装置４０と携帯端末５０とのペアリングが成立後（Ｓ１１後）、通信装置４０の第１通信部４１と、携帯端末５０の第２通信部５１との双方向の通信が確立される（Ｓ１２）。なお、ペアリングが成立後における初めての接続では、携帯端末５０は、入力画面Ｍ１に入力した第３認証情報の他に、第３認証情報としてＭＡＣアドレス等の固有情報を通信装置４０に送信する。通信装置４０は、携帯端末５０から送信されたＭＡＣアドレス等の固有情報を記憶する。このように、ペアリングの成立後に、携帯端末５０から通信装置４０へ向けて固有情報を送信する一方で、固有情報を通信装置４０が記憶することによって、Ｓ８〜Ｓ１１までのペアリング処理を、次回以降、省略することができる。つまり、ペアリングの成立後、少なくとも２回目の携帯端末５０と通信装置４０との接続においては、携帯端末５０がアプリケーションの起動後（Ｓ５）に、固有情報を通信装置４０に送信することで、下記に示すデータ通信処理Ｓ１２から進めることができる。
【００４７】
通信装置４０は、携帯端末５０との接続後に携帯端末５０のアプリケーションに対応する作業機に関するデータを携帯端末５０に送信する（Ｓ１３：データ送信処理）。上述した例では、通信装置４０は、収集識別子を携帯端末５０に送信して、収集アプリケーションを起動させているため、データ送信処理では、通信装置４０は、記憶部４３に一時的に記憶された機械情報を、作業機に関するデータとして送信する。即ち、データ送信処理では、通信装置４０は、携帯端末５０との接続後、携帯端末５０からのデータの要求の受信を経ずに、機械情報等の作業機に関するデータを携帯端末５０に送信している。
【００４８】
つまり、通信装置４０側は、アプリケーション識別子を携帯端末５０に送信しているため、携帯端末５０がアプリケーション識別子に対応するアプリケーションが起動されていることを携帯端末５０に問い合わせをしなくても把握することができる。
携帯端末５０の第２通信部５１における第２受信部５１Ｂは、通信装置４０から送信された作業機に関するデータとして、例えば、機械情報を受信する（Ｓ１５）。携帯端末５０の演算部５４は、機械情報を収集アプリケーションが受け付ける情報として、記憶部５２に記憶する（Ｓ１６）。即ち、携帯端末５０は、受信した作業機に関するデータを、起動したアプリケーションが受け付けるデータとして、当該アプリケーションに対応付けて記憶する。これによれば、複数のアプリケーションが携帯端末５０に記憶されている場合でも、アプリケーション上で速やかに処理を実行することができる。
【００４９】
上述した実施形態では、識別子設定部４５は、携帯端末５０へ未送信である未送信情報のデータ容量が所定以上である場合に収集アプリケーションを識別する収集識別子を設定していたが、少なくとも携帯端末５０へ送信するデータがある場合に収集識別子を設定してもよい。
上述した実施形態では、アプリケーションは、収集アプリケーション、始動アプリケーションを例示したが限定されない。例えば、携帯端末５０に対して作業機の警告等の報知情報を通知する報知アプリケーションであってもよい。この場合、識別子設定部４５は、報知アプリケーションに対応するアプリケーション識別子（報知識別子）を設定する。その後、通信装置４０は、報知識別子を携帯端末５０に送信する。携帯端末５０は、報知識別子を受信するとペアリング処理等を行った後に通信装置４０との通信を確立させる。通信装置４０は、携帯端末５０との通信の確立後、作業機に関するデータとして、例えば、警告等の報知情報を送信する。携帯端末５０は報知情報を受信後に、作業機（通信装置４０）から送信された報知情報を表示する。このようにすれば、作業機は、携帯端末５０に対して何らかの報知したい情報がある場合に、報知識別子を携帯端末５０に送信することで、当該携帯端末５０に警告等を表示することができる。
【００５０】
また、アプリケーションの数は上述した例に限定されず、２つ以上、３つ以上、それ以上であってもよい。
また、通信装置４０と携帯端末５０との間でペアリング処理を行っていたが、ペアリング処理は無くてもよい。
以上の作業機の通信システムは、通信装置４０がアプリケーション識別子をＢＬＥに準拠するビーコンで携帯端末５０に送信し、携帯端末５０はアプリケーション識別子に対応するアプリケーションを起動し、通信装置４０は、携帯端末５０との接続後に携帯端末５０のアプリケーションに対応する作業機に関するデータを携帯端末５０に送信する。
【００５１】
これによれば、通信装置４０がアプリケーション識別子をＢＬＥに準拠するビーコンによって送信することで、携帯端末５０は通信装置４０（作業機）側から送信されたアプリケーション識別子に応じたアプリケーションを起動後に、通信装置４０（作業機）側から作業機に関するデータを簡単に取得することができる。上述したように、アプリケーション識別子が収集識別子である場合には、作業機が収集したデータを携帯端末５０に送信することができ、アプリケーション識別子が始動識別子である場合には、作業機から第１認証情報を受信することができる。
【００５２】
作業機の通信システムは、ビーコンを携帯端末５０に送信後且つ作業機に関するデータを携帯端末５０に送信する前に、通信装置４０と携帯端末５０とのペアリング処理を行う。これによれば、携帯端末５０と通信装置４０との間でペアリングを行っていない状況下で通信装置４０から送信されたアプリケーション識別子を受信したとしてもペアリング処理に移行することができる。
【００５３】
携帯端末５０は、ペアリング処理としてアプリケーションの起動後に通信装置４０に接続要求を行い、ペアリング処理として通信装置４０は携帯端末５０に対して、認証情報（第３認証情報）を要求する。これによれば、アプリケーション識別子に対応したアプリケーションによってペアリング処理に推移することができる。
携帯端末５０は、通信装置４０からの認証情報（第３認証情報）の要求に応じて認証情報（第３認証情報）を入力する入力画面Ｍ１を表示する。これによれば、ペアリング処理において、携帯端末５０が通信装置４０の要求にしたがって認証情報を入力する入力画面Ｍ１を簡単に表示することができる。また、入力画面Ｍ１に入力した認証情報を通信装置４０に送信することができる。
【００５４】
通信装置４０は、認証情報（第３認証情報）の認証成立後に作業機に関するデータを携帯端末５０に送信する。これによれば、認証情報の成立後、即ち、ペアリング処理を行った後に、作業機の様々なデータを携帯端末５０に送信することができる。
携帯端末５０は、作業機に関するデータをアプリケーションが受け付けて記憶する記憶部５２を有している。これによれば、アプリケーション識別子に対応して起動したアプリケーション側で通信装置５０から送信された作業機の様々なデータを管理、処理することができる。
【００５５】
作業機の通信装置４０は、アプリケーション識別子をＢＬＥに準拠するビーコンで携帯端末５０に送信し、且つ、携帯端末５０がアプリケーション識別子に対応するアプリケーションを起動後にアプリケーションに対応する作業機に関するデータを携帯端末５０に送信する第１通信部４１を備えている。
これによれば、通信装置４０の第１通信部４１がアプリケーション識別子をＢＬＥに準拠するビーコンを携帯端末５０に送信することができる。また、通信装置４０の第１通信部４１は、携帯端末５０側でアプリケーション識別子に応じたアプリケーションを起動後に、作業機に関するデータを簡単に送信することができる。
【００５６】
作業機の通信装置４０は、第１通信部４１が、ビーコンを携帯端末５０に送信後且つ作業機に関するデータを携帯端末５０に送信する前に、携帯端末５０とのペアリング処理を行う第１処理部４６を備えている。第１通信部４１は、ペアリング処理における認証成立後に、作業機に関するデータを携帯端末５０に送信する。
これによれば、携帯端末５０と通信装置４０との間でペアリングを行っていない状況下であっても、第１処理部４６によって、携帯端末５０に対するペアリング処理を行うことができる。また、ペアリング処理における認証成立後には、第１通信部４１から携帯端末５０に向けて、作業機に関するデータを送信することができる。
【００５７】
携帯端末５０は、通信装置４０から送信されたビーコンであって、アプリケーション識別子をＢＬＥに準拠するビーコンで受信する第１受信部５１Ａと、第１受信部５１Ａがアプリケーション識別子を受信後に、アプリケーション識別に対応するアプリケーションを起動する起動部５４Ｂと、通信装置４０から送信された作業機に関するデータであってアプリケーションに対応するデータを受信する第２受信部５１Ｂと、を備えている。
【００５８】
これによれば、第１受信部５１Ａによって、通信装置４０から送信されたＢＬＥに準拠するビーコンを受信することにより、アプリケーション識別子を携帯端末５０が簡単に把握することができる。また、起動部５４Ｂによって、第１受信部５１Ａがアプリケーション識別子を受信後に当該アプリケーション識別子に対応するアプリケーションを起動させることができ、アプリケーションの起動後は通信装置４０から作業機の様々なデータを第２受信部５１Ｂによって受信することができる。
【００５９】
携帯端末５０は、第１受信部５１Ａがビーコンを受信後且つ第２受信部５１Ｂが作業機に関するデータを受信前に、通信装置４０とのペアリング処理を行う第２処理部５４Ｂを有している。これによれば、携帯端末５０と通信装置４０との間でペアリングを行っていない状況下で通信装置４０から送信されたアプリケーション識別子を受信したとしても第２処理部５４Ｂによってペアリング処理に移行することができる。
【００６０】
第２処理部５４Ｂは、ペアリング処理としてアプリケーションの起動後に通信装置４０に接続要求を行う。これによれば、第２処理部５４Ｂによって、アプリケーション識別子に対応したアプリケーションによってペアリング処理に推移することができる。
第２処理部５４Ｂは、通信装置４０からのペアリング処理における要求に応じて認証情報（第３認証情報）を入力する入力画面Ｍ１を表示する。これによれば、ペアリング処理において、第２処理部５４Ｂが通信装置４０の要求にしたがって認証情報を入力する入力画面Ｍ１を簡単に表示することができる。
【００６１】
携帯端末５０は、作業機に関するデータをアプリケーションが受け付けて記憶する記憶部５２を有している。これによれば、アプリケーション識別子に対応して起動したアプリケーション側で通信装置５０から送信された作業機の様々なデータを管理、処理することができる。
作業機の通信処理方法は、通信装置４０がアプリケーション識別子をＢＬＥに準拠するビーコンで携帯端末５０に送信するステップと、携帯端末５０はアプリケーション識別子に対応するアプリケーションを起動するステップと、通信装置４０は、携帯端末５０との接続後に携帯端末５０のアプリケーションに対応する作業機に関するデータを携帯端末５０に送信するステップと、を備えている。これによれば、通信装置４０がアプリケーション識別子をＢＬＥに準拠するビーコンによって送信することで、携帯端末５０は通信装置４０（作業機）側から送信されたアプリケーション識別子に応じたアプリケーションを起動後に、通信装置４０（作業機）側から作業機に関するデータを簡単に取得することができる。
【００６２】
作業機の通信処理方法は、ビーコンを携帯端末５０に送信後且つ作業機に関するデータを携帯端末５０に送信する前に、通信装置４０と携帯端末５０とのペアリング処理を行う。これによれば、携帯端末５０と通信装置４０との間でペアリングを行っていない状況下で通信装置４０から送信されたアプリケーション識別子を受信したとしてもペアリング処理に移行することができる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６４】
１  作業機
２  機体
３  走行装置
３Ｌ  走行体
３Ｒ  走行体
４  作業装置
５  キャビン
６  運転席
７  ドーザ装置
８  旋回ベアリング
９  旋回基板
１０  ウエイト
１３  支持ブラケット
１４  スイングブラケット
１５  ブーム
１６  アーム
１７  バケット（作業具）
１９Ｌ、１９Ｒ  操縦装置
３０  制御装置
３３  記憶部
３４  計時部
４０  通信装置
４０Ａ  第１通信装置
４０Ｂ  第２通信装置
４１  第１通信部
４２  収集部
４３  記憶部
４５  識別子設定部
４６  第１処理部
５０  携帯端末
５１  第２通信部
５１Ａ  第１受信部
５１Ｂ  第２受信部
５２  記憶部
５３  表示部
５４  演算部
５４Ａ  第２処理部
５４Ｂ  起動部
Ｃ３  ブームシリンダ
Ｃ４  アームシリンダ
Ｃ５  バケットシリンダ
Ｅ１  原動機
【図１】
2019114858.tif 000003
【図２Ａ】
2019114858.tif 000004
【図２Ｂ】
2019114858.tif 000005
【図３】
2019114858.tif 000006
【図４】
2019114858.tif 000007
【図５】
2019114858.tif 000008